(57)【要約】【課題】ユーザーが、撮影時に折り畳んだ状態／開いた状態に合わせて携帯機器の向きを変えたり、保存される画像の向きを気にしたりせずに被写体を撮影することができ、操作性および利便性が向上した携帯機器を提供する。【解決手段】撮像手段で撮像した画像を画像保存手段に保存する時に、折り畳まれた状態または開いた状態のいずれか一方の状態で撮像された撮像画像を１８０度回転して保存する。【選択図】　図７
2004032598.tif 000002
【特許請求の範囲】
【請求項１】
第１の筐体と第２の筐体が連結部によって折り畳み可能に構成される携帯機器であって、
前記携帯機器が折り畳まれた状態と開いた状態のいずれにおいても撮像可能な撮像手段と、撮像した画像を保存する画像保存手段とを備え、
前記撮像手段で撮像した画像を前記画像保存手段で保存する時に、前記折り畳まれた状態または前記開いた状態のいずれか一方の状態で撮像された撮像画像を１８０度回転して保存することを特徴とする携帯機器。
【請求項２】
前記第１の筐体と前記第２の筐体との開閉検出に基づき、撮像画像の１８０度回転保存を選択することを特徴とする請求項１記載の携帯機器。
【請求項３】
前記撮像手段の方向検出に基づき、撮像画像の１８０度回転保存を選択することを特徴とする請求項１記載の携帯機器。
【請求項４】
前記撮像手段は、前記携帯機器を折り畳んだ時に外側に配置することを特徴とする請求項１〜３記載の携帯機器。
【請求項５】
前記方向検出は、前記撮像手段の回転検出と、前記第１の筐体と前記第２の筐体との開閉検出とにより行うことを特徴とする請求項３記載の携帯機器。
【発明の詳細な説明】
【０００１】
【発明の属する技術分野】
この発明は撮影機能を有した折り畳み可能な携帯機器に関する。
【０００２】
【従来の技術】
近年、携帯電話機が広く普及しているが、その形状としてはストレートタイプ、フリップタイプ、クラムシェルタイプの３種類に大きく分類される。中でもクラムシェルタイプは折り畳むことによる小型化ができるため、他の２つのタイプよりニーズが高い。
【０００３】
また、最近では図９に示すように、液晶ディスプレイ１０４の背面に液晶サブディスプレイ１２０とカメラ部１２１とアンテナ１０６を備えた携帯電話機が提案されている。図９（ａ）は携帯電話機を開いて相手を撮影する場合を示し、メインディスプレイ１０４で被写体を確認しながら、第１のシャッターボタン１１３にて撮影を行う。図９（ｂ）は携帯電話機を閉じて利用者本人を撮影する場合を示し、サブディスプレイ１２０で被写体を確認しながら、第２のシャッターボタン１０７にて撮影を行う。
【０００４】
一方、出願人は例えば平成１４年６月２１日に出願した出願番号２００２−１８０９５３号にて、携帯電話機を折り畳んで撮影した状態と開いて撮影した状態において持ち替え不要なカメラ付携帯電話機の提案を行っている。持ち替え不要なカメラ付携帯電話機とは、同出願の図１から図５に示すように、折り畳んだ状態で連結部を上方向になるようにユーザーが持って使用するカメラ付携帯電話機が提案できる。
【０００５】
【発明が解決しようとする課題】
ところで前述したような出願番号２００２−１８０９５３号で提案した持ち替え不要なカメラ付携帯電話機は、折り畳んだ状態と閉じた状態でカメラ部の向きが逆になる。
【０００６】
従って、シャッターを押して画像を保存した場合に、携帯電話機を折り畳んで撮影した状態と開いて撮影した状態とでは、保存される画像データの向きも逆になる。具体的には、折り畳んだ状態と開いた状態でそれぞれ人間を撮影した場合に、一方は頭部分が上向きに、他方は頭部分が下向きに保存されることになり、表示もしくは画像をメールに添付して送った場合に、上下逆向きに表示されることになる。
【０００７】
【課題を解決するための手段】
第１の発明は、第１の筐体と第２の筐体が連結部によって折り畳み可能に構成される携帯機器であって、
前記携帯機器が折り畳まれた状態と開いた状態のいずれにおいても撮像可能な撮像手段と、撮像した画像を保存する画像保存手段とを備え、
前記撮像手段で撮像した画像を前記画像保存手段で保存する時に、前記折り畳まれた状態または前記開いた状態のいずれか一方の状態で撮像された撮像画像のみを１８０度回転して保存することを特徴とする携帯機器である。
【０００８】
本発明に従えば、上下が逆になるように撮影された画像は１８０度回転してから保存する。これによって、ユーザーが撮影した状態（折り畳んだ状態／開いた状態）に関わらず、保存される画像の向きは同じになる。
【０００９】
従って、ユーザーは撮影時に折り畳んだ状態／開いた状態に合わせて携帯電話機の向きを変えたり、保存される画像の向きを気にしたりせずに被写体を撮影することができ、操作性および利便性が向上する。
【００１０】
また、第２の発明は第１の発明において、前記第１の筐体と前記第２の筐体との開閉検出に基づき、撮像画像の１８０度回転保存を選択することを特徴とする携帯機器である。
【００１１】
本発明に従えば、上下が逆になるように撮影されたかどうかを、前記第１の筐体と前記第２の筐体との開閉検出により判断でき、必要に応じて１８０度回転してから保存できる。ユーザーが撮影した状態（折り畳んだ状態／開いた状態）に関わらず、保存される画像の向きは同じになる。
【００１２】
従って、ユーザーの特殊な操作を必要とせずに、必要に応じて自動的に１８０度回転して保存するので、操作性および利便性が向上する。
【００１３】
また、第３の発明は第１の発明において、前記撮像手段の方向検出に基づき、撮像画像の１８０度回転保存を選択することを特徴とする携帯機器である。
【００１４】
本発明に従えば、上下が逆になるように撮影されたかどうかを、撮像手段の方向により判断でき、必要に応じて１８０度回転してから保存できる。ユーザーが撮影した携帯機器の使用状態に関わらず、保存される画像の向きは同じになる。
【００１５】
従って、ユーザーの特殊な操作を必要とせずに、自動的にカメラ方向を検出し、必要に応じて自動的に１８０度回転して保存するので、操作性および利便性が向上する。
【００１６】
また、第４の発明は第１〜３の発明において、前記撮像手段は、前記携帯機器を折り畳んだ時に外側に配置することを特徴とする携帯機器である。
【００１７】
本発明に従えば、ユーザーが折り畳んだ時に外側に位置される撮像手段で撮像し、その撮像画像を前記画像保存手段で保存する時に、前記折り畳まれた状態または前記開いた状態のいずれか一方の状態で撮像された撮像画像のみを１８０度回転して保存する。
【００１８】
撮像手段が折り畳んだ時に外側に位置されることから、携帯機器が折り畳まれているか開いているかを検出するだけで、１８０度回転保存が必要かどうかを判断でき、第１の発明に比べて、回路構成を簡素化することができる。
【００１９】
また、第５の発明は第３の発明において、前記方向検出は、前記撮像手段の回転検出と、前記第１の筐体と前記第２の筐体との開閉検出とにより行うことを特徴とする携帯機器である。
【００２０】
本発明に従えば、方向検出は撮像手段の回転検出と筐体の開閉検出により撮像手段の方向を検出する。
【００２１】
従って、携帯機器の筐体の開閉とは独立して撮像手段が回転する場合においても、撮像手段の方向を判断でき、必要に応じて撮像画像の１８０度回転保存を行うことが可能であり、操作性および利便性が向上する。
【００２２】
【発明の実施の形態】
この発明の実施の形態について図面を参照し説明する。図１は本発明の実施の一形態であるクラムシェルタイプのカメラ付携帯電話機１を開いた状態での外観を示す斜視図である。携帯電話機１は第１の筐体２と第２の筐体３からなり、第１の筐体２と第２の筐体３は、ヒンジ４を介して連結され、ヒンジ４を軸として角変位自在に動くことで折り畳み可能に構成されている。図１に示すように携帯電話機１は第１の筐体２には第１表示部５を備える。第１表示部５は携帯電話機１が折り畳まれた時に内側に位置するように配置されている。第１表示部５は液晶ディスプレイやＥＬディスプレイなどで実現され、後述する第１表示ドライバ部４３を介して送られてくる画像データに基づく画像を表示する。また、第１表示部５の上部には通話時に使用する第１のスピーカー６を備える。
【００２３】
次に本発明の実施の一形態である携帯電話機１の第２の筐体３について説明する。入力ボタン群７は、数字および文字を入力するためのキーなどから構成される。機能ボタン群８は携帯電話機における各種設定／機能切替を行うためのボタン群であり、電源のＯＮ／ＯＦＦ切替を行う電源ボタン９、後述するカメラ機能の第１のシャッターボタン１０、メール機能とガイダンス表示を行うメール／ガイダンス用ボタン１１、通話開始とスピーカー受話を行う開始／スピーカー受話ボタン１２、機能選択画面での上下左右選択と決定を行う４方向ボタンと決定ボタンで構成されたマルチガイドボタン１３から構成される。また、第２の筐体１０２の下部には送話マイク１４を備えている。
【００２４】
携帯電話機１の第２の筐体３の配置構成としては、ヒンジ４、機能ボタン群８、入力ボタン群７、送話マイク１４の順番に配置するのが普通であるが、これに限定されるものではない。
【００２５】
図２は、図１に示された携帯電話機１を背面側からの外観を示す斜視図であり、図３は携帯電話機１を折り畳んだ状態での外観斜視図である。図２または図３に示すように、第１の筐体２の背面は、ヒンジ４側から順番にカメラ部２１とライト部２２が並んで配置され、第２表示部２０、第２のシャッターボタン２３および第２の操作ボタン群２４が続いて配置される。
【００２６】
第２表示部２０は携帯電話機１が折り畳まれた時に外側に位置するように配置される。第２表示部２０は液晶ディスプレイやＥＬディスプレイなどで実現される。後述する第２表示ドライバ部４４を介して送られてくる撮像画像や時刻情報、電波強度、メール受信表示等のキャラクタ画像の画像データに基づく画像を表示する。これらの画像を表示する際に、第２表示ドライバ部４４から第２表示部２０に送られてくる画像データは、表示した時にヒンジ４方向が上になるように表示される。第２表示部２０は、ヒンジ４方向が上になるように画像表示を行うことにより、ユーザーは携帯電話機１を折り畳んだ状態で使用する際に、ヒンジを上に向けて使用することになり、ユーザーが携帯電話機１を開いた状態でも閉じた状態でも第２の筐体３の向きが変わらない。言い換えれば、携帯電話機１を開いたり閉じたりするたびに、携帯電話機１の向きを変えたり持ち替えたりする必要がなくなり、操作性および利便性が向上する。第２表示部２０での画像表示には撮像画像も含まれ、撮像画像を見る場合にも、携帯電話機１の向きを変えたり持ち替えたりする必要がなくなり、操作性および利便性が向上する。
【００２７】
カメラ部２１は撮像レンズとＣＣＤ（Ｃｈａｒｇｅ　Ｃｏｕｐｌｅｄ　Ｄｅｖｉｃｅ）イメージセンサあるいはＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）イメージセンサなどの撮像素子とＲＧＢの３色のカラーフィルタとを備える。カメラ部２１は被写体で反射されて撮像レンズに入射した光を、カラーフィルタを通してＲＧＢの３色光にし、ＲＧＢの３色光をそれぞれ前記撮像素子に変換する。図２に示すようにカメラ部２１は携帯電話機１が折り畳まれた時に外側にあって、ヒンジ４と第２表示部との間に位置するように設けられている。ユーザーは携帯電話機１を開いて撮影する時には、第２の筐体３を持って撮影する。
【００２８】
ライト部２２は、カメラ部２１で撮像する際の補助光源として使われる。一般的に、キセノン管を用いるものが多いが、最近ではＲＧＢのＬＥＤを同時発光させて、白色光を発光させて補助光源に用いるものもある。
【００２９】
第２のシャッターボタン２３は、第１の筐体２の背面中央に配置され、図３に示す携帯電話機１を折り畳んだ状態では第２表示部２０の下側に位置する。この位置に第２のシャッターボタン２３を配置することにより、ユーザーは折り畳んだ状態で簡単にシャッターボタン位置を確認し、容易に撮影することができる。
【００３０】
また、第２のシャッターボタン２３の両横には第２表示部３を用いて各種設定／操作を行うための第２の操作ボタン群２４ａ，２４ｂが設けられている。第２の操作ボタン群は、第２表示部２０と連動して、各種機能設定，アドレス帳の表示／検索，メールの確認／表示／発信を操作することができる。また、撮影時のズーム操作や複数の撮像画像の順送り／逆送り等を操作することができる。
【００３１】
図２に戻り、第２の筐体３の背面にはアンテナ部２５と上下可能なヘリカル部２６、バッテリーを格納するバッテリー部２７と着信音を鳴らす第２のスピーカー２８を備えている。
【００３２】
図３は、携帯電話機１を折り畳んだ状態での外観斜視図を示し、図４は、同じく携帯電話機１を折り畳んだ状態での外観側面図である。以下、図３、図４を用いて説明を続ける。
【００３３】
第１の筐体２はヒンジ４を通して第２の筐体３と機構的に接続されるが、ヒンジ４内には第１の筐体２と第２の筐体３を電気的に接続するための可撓性基板が組み込まれている。
【００３４】
本発明の実施の一形態である携帯電話機１を用いてカメラ撮影を行う場合の利用方法を、図５を用いて説明する。図５（ａ）は撮影者が被写体を撮影する場合の一般的な利用方法を示す。携帯電話機１を開き、カメラ部２１を被写体に向け、撮影者は第１表示部５をファインダーとして利用する。シャッターボタンは第１のシャッターボタン１０を使用するが、第１の筐体２の背面に備えた第２のシャッターボタン２３を使用することも可能である。図５（ｂ）は撮影者が撮影者自身を撮影する場合の一般的な利用方法を示す。この場合、撮影者は第２表示部２０をファインダーとして利用することにより、撮影画像を確認しながら撮影をすることが可能である。
【００３５】
一般的な携帯電話機では、第２表示部２０で表示する際には、画面確認時の違和感をなくすため、画像を左右反転させ、鏡のように表示することが多いがそれに限定されるものではない。なお、本発明の実施の一形態である携帯電話機１では、携帯電話機１を開いた状態でも利用者自身を撮影可能だが、わざわざ開くよりも、折り畳んだ状態で撮影した方が使い勝手が良い。
【００３６】
次に携帯電話機１の内部回路について、内部ブロック図である図６とともに説明する。制御部４０は携帯電話機１を構成する各部位の動作を制御する制御手段、シャッターボタン制御手段、バックライト制御手段、ライト制御手段および表示制御手段である。画像処理部４１は、増幅部、Ａ／Ｄ（アナログ／デジタル）変換部、信号処理部からなる。増幅部は、カメラ部２１から送られてくるＲＧＢに対応した電気信号を増幅し、Ａ／Ｄ変換部に送る。Ａ／Ｄ変換部は増幅部で変換されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部４０から送られてくる制御信号に基づいて、信号処理を施した画像データを第１メモリ４２に送る。カメラ部２１および画像処理部４１は、入射光を電気信号に変換して画像データとして出力する撮像手段である。第１メモリ４２は、信号処理部から連続的に送られてくる画像データを一時的に記憶している。たとえば、時間的に古い画像データは消去する、あるいは最も新しい画像データを上書きすることで一時的に記憶する。
【００３７】
制御部４０は、第１および第２表示ドライバ部４３，４４に制御信号を送信するとともに、第１メモリ４２に記憶された画像データを、第１および第２表示ドライバ部４３，４４に送る。第１および第２ドライバ部４３，４４は、第１および第２表示部５，２０に表示しようとする画像データに従って、第１および第２表示部５，２０の各画素電極に対して駆動電圧を印加する。
【００３８】
第１および第２バックライト４５，４６は発光素子である発光ダイオードなどから構成され、第１および第２表示部５，２０に光を当てて輝度を増加させる。第１および第２バックライト４５，４６の点灯、消灯の制御および輝度調整などの制御は、制御部４０によって行われる。第１の操作ボタン群４７は前述した第２の筐体３の入力ボタン群７と機能ボタン群８から構成される。第２の操作ボタン群は前述したように第１の筐体２に設置されている。
【００３９】
第１および第２のシャッターボタン１０，２３は、第１メモリ４２に連続的に送られ、一時的に記憶されている画像データの中からユーザーが保存を希望する画像データを、第３メモリ５２に保存する時に、ユーザーによって操作され、保存させる旨の指示信号を制御部４０に出力する。制御部４０は第１および第２のシャッターボタン１０，２３からの指示信号に応答して、第１メモリ４２に記憶されている画像データを第３メモリ５２に保存する。なお、第２メモリ４８は、第１メモリ４２同様に画像データを表示する際に使われるメモリである。
【００４０】
開閉検出部４９は携帯電話機１が折り畳まれているか否かを検出する検出手段である。ヒンジ４内部に図示しない検出スイッチが設けられており、開閉状態に応じて信号が制御部４０に送られ、制御部４０によって携帯電話機１が折り畳まれているかどうかを判断する。
【００４１】
アンテナ部２５は、無線電波を介して基地局と無線通信を行うときに、音声データ、文字データおよび画像データなどを送受信する。無線部５０は、受信時は、基地局からアンテナ部２５を介して受信したデータを復調し、送信時は、通信制御部５１から送られてくる文字データおよび画像データを所定のプロトコルに基づいて制御部４０に送る。無線部５０、通信制御部５１を介して受信した相手先からの受信データは、第３メモリ５２に記憶される。
【００４２】
制御部４０は、第１メモリに一時的に保存されている画像データに基づく画像を表示する表示部を、開閉検出部４９の検出結果に基づいて切り換える。開閉検出部４９によって、携帯電話機１が折り畳まれていることが検出された場合、制御部４０は、第１メモリ４２からの画像データを第２表示ドライバ部４４に出力し、第２表示部２０に画像を表示させる。開閉検出部４９によって、携帯電話機１が折り畳まれていない（開いている）ことが検出された場合、制御部４０は、第１メモリ４２からの画像データを第１表示ドライバ部４３に出力し、第１表示部５に画像を表示させる。
【００４３】
前述のようにカメラ部２１は、携帯電話機１が折り畳まれたときの外側に設けられているので、携帯電話機１のユーザー以外の被写体を撮像するときは、図５（ａ）に示すように、ユーザーは、携帯電話機１を開いた状態でカメラ部２１をユーザーと反対側にある被写体側に向けて撮像する。この状態では、携帯電話機１が開いていること、すなわち折り畳まれていないことが開閉検出部４９によって検出され、カメラ部２１から出力された画像データに基づく画像が第１表示部５に表示される。これによって、ユーザーは第１表示部５を撮像時のファインダーとして使用することができる。
【００４４】
一方、ユーザー自身を被写体として撮像するときは、図５（ｂ）に示すように、ユーザーは、携帯電話機１を折り畳んだ状態でカメラ部２１をユーザー側に向けて撮像する。この状態では、携帯電話機１が折り畳まれていることが開閉検出部４９によって検出され、カメラ部２１から出力された画像データに基づく画像が第２表示部２０に表示される。これによって、ユーザーは第２表示部２０を撮影時のファインダーとして使用することができる。
【００４５】
前述のようにカメラ部２１は、携帯電話機１が折り畳まれたときの外側に設けられているので、携帯電話機１のユーザー以外の被写体を撮像するときは、ユーザーは、携帯電話機１を開いた状態でカメラ部２１をユーザーと反対側にある被写体側に向けて撮像する。
【００４６】
一方、ユーザー自身を被写体として撮像するときは、ユーザーが携帯電話機１を折り畳んだ状態でカメラ部２１をユーザー側に向けて撮像する。
【００４７】
図７は、携帯電話機１の撮像処理を示すフローチャートである。特に、携帯電話機１を折り畳んで撮影した際に、撮像画像を１８０度回転して保存することについて説明する。なお、携帯電話機１は、折り畳まれた状態からでも、開いた状態からでも所定の操作によって撮像可能な状態、いわゆる撮像モードに設定することができる。
【００４８】
まず、ステップＳ１では、制御部４０が、カメラ部２１のＣＣＤで撮影した画像データを第１メモリに保存する。
【００４９】
ステップＳ２では、制御部４０が第１シャッターボタン１０もしくは第２シャッターボタン２３が押されたか否かを検出する。押されていればステップＳ３に進み、押されていなければステップＳ１に戻る。
【００５０】
ステップ３では、制御部４０が、開閉検出部４９の検出結果に基づいて携帯電話機１が折り畳まれているか否かを判断する。折り畳まれていれば、ステップＳ４に進み、開いていればステップＳ５に進む。
【００５１】
ステップＳ４では、制御部４０が、第１メモリの画像データを１８０度回転してから第３メモリに保存し、ステップＳ６に進む。
【００５２】
ステップＳ５では、制御部４０が、第１メモリの画像データをそのまま第３メモリに保存し、ステップＳ６に進む。
【００５３】
ステップＳ６では、制御部４０が、撮像モードを終了する所定の操作がユーザーによって行われたか否かを判断する。操作が行われていれば処理を終了し、行われていなければステップＳ１に戻る。撮像モードが終了すると、第１および第２表示部５，２０には所定の待受画面などが表示される。
【００５４】
携帯電話機１を開いた状態と折り畳んだ状態とでは、カメラ部２１の上下方向が逆になることから、折り畳まれた状態では撮影時に画像データを１８０度回転させてから第３メモリ５２に保存することにより、後にその画像データを第１または第２表示部５，２０のいずれに表示させた場合もしくはメールに画像を添付した場合でも、画像の上下が逆になることがなくなる。
【００５５】
従って、ユーザーは撮影時に折り畳んだ状態／開いた状態に合わせて携帯電話機の向きを変えたり、保存される画像の向きを気にしたりせずに被写体を撮影することができ、操作性および利便性が向上する。
【００５６】
また、撮像手段が折り畳んだ時に外側に位置されることから、携帯機器が折り畳まれているか開いているかを検出するだけで、１８０度回転保存が必要かどうかを判断でき、撮像手段の回転を判断する必要がなく、回路構成が簡素化されている。
【００５７】
なお、本発明の実施の一形態として上述した携帯電話機１は、折り畳んだ状態で撮影した場合に、撮像画像を１８０度回転して保存することを記載したが、これに限定されるものではなく、開いた状態で撮像した画像を１８０度回転して保存する構成としてもよい。この場合、図７のステップＳ５にて画像データの１８０度回転が行われ、第３メモリ５２に記憶される。
【００５８】
次に本発明の実施の他の形態を図８とともに説明する。携帯電話機６０は第１の筐体６１にカメラ部６２を備えている。カメラ部６２は第１の筐体６１に対して回点可能に取り付けられている。そのため、カメラ部６２の回転検出部６３と開閉検出部６４の信号を組み合わせて、カメラの向きを検出する。また、図示されないが第１の筐体６１の外側（裏側）には第２表示部が備えられている。
【００５９】
具体的な携帯電話機６０での撮影方法として、図８に示すように携帯電話機６０を開き、カメラ部６２を内側に向けて撮影する場合…（Ａ）と、携帯電話機６０を開き、カメラ部６２を外側に向けて撮影する場合…（Ｂ）と、携帯電話機６０を折り畳み、カメラ部６２を外側に向けて撮影する場合…（Ｃ）が考えられる。
【００６０】
（Ａ）の場合のカメラ部６２の向きを基準とすると、（Ｂ）および（Ｃ）の場合のカメラ部６２の向きは１８０度回転した位置となる。
【００６１】
撮影時に１８０度回転保存が必要な状態は、（Ｂ）の場合のみである。制御部は、回転検出部６３からカメラ部６２が１８０度回転したことを示す信号と、開閉検出部６４からの携帯電話機６０が折り畳まれていることを示す信号によって（Ｂ）の状態を判断し、画像を保存する時に画像を１８０度回転してから第３メモリ５２に保存する。
【００６２】
このようにカメラ方向を検出するための回転検出部と開閉検出部を備えることにより、カメラ部の向きが認識でき、必要に応じて１８０度回転した画像を保存することができる。
【００６３】
従って、ユーザーは撮影時に携帯電話機の使用状態に応じて携帯電話機の向きを変えたり、保存される画像の向きを気にしたりせずに被写体を撮影することができ、操作性および利便性が向上する。
【００６４】
また、本発明の実施の一形態である携帯電話機１及び６０では、携帯電話機の開閉を開閉検出部４９または６４によって検出を行っているが、これに限らず、カメラの姿勢検出部を用いて判断してもよい。
【００６５】
また、本発明の実施の一形態として携帯電話機１について説明したが、これに限らず、ノート型ＰＣ（パーソナルコンピュータ）、ＰＤＡ（Ｐｅｒｓｏｎａｌ　ＤｉｇｉｔａｌＡｓｓｉｓｔａｎｃｅ）などであって、折り畳み可能に構成され、撮像部と画像保存手段を備える構成であれば、本発明は適用可能である。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６７】
【発明の効果】
以上のように本発明によれば、上下が逆になるように撮影された画像は１８０度回転してから保存する。これによって、ユーザーが撮影した状態（折り畳んだ状態／開いた状態）に関わらず、保存される画像の向きは同じになる。
【００６８】
従って、ユーザーは撮影時に折り畳んだ状態／開いた状態に合わせて携帯電話機の向きを変えたり、保存される画像の向きを気にしたりせずに被写体を撮影することができ、操作性および利便性が向上する。
【００６９】
また、携帯機器が折り畳み可能であり、かつカメラ部の向きが回転可能な場合であっても、的確にカメラの向きを判断でき、必要に応じて１８０度回転保存を行うことが可能であり、操作性および利便性が向上する。
【図面の簡単な説明】
【図１】本実施の形態に係る携帯機器の外観斜視図である。
【図２】本実施の形態に係る携帯機器の背面側からの外観斜視図である。
【図３】本実施の形態に係る携帯機器の折り畳んだ状態での外観斜視図である。
【図４】本実施の形態に係る携帯機器の折り畳んだ状態での外観側面図である。
【図５】本実施の形態に係る携帯機器の利用方法を示す説明図である。
【図６】本実施の形態に係る携帯機器の構成を示すブロック図である。
【図７】本実施の形態に係る携帯機器の撮像処理を示すフローチャートである。
【図８】本実施の他の形態に係る携帯機器の外観斜視図である。
【図９】従来の携帯機器を示す説明図である。
【符号の説明】
１　携帯電話機
２　第１の筐体
３　第２の筐体
４　ヒンジ
５　第１表示部
１０　第１のシャッターボタン
２０　第２表示部
２１　カメラ部
２３　第２のシャッターボタン
２４　第２の操作ボタン群
２５　アンテナ部
４０　制御部
４２　第１メモリ
４９　開閉検出部
５２　第３メモリ
６３　回転検出部
６４　開閉検出部
【図１】
2004032598.tif 000003
【図２】
2004032598.tif 000004
【図３】
2004032598.tif 000005
【図４】
2004032598.tif 000006
【図５】
2004032598.tif 000007
【図６】
2004032598.tif 000008
【図７】
2004032598.tif 000009
【図８】
2004032598.tif 000010
【図９】
2004032598.tif 000011